(57)【要約】【課題】商品を入札できる効果的な期間を定めることのできる商取引仲介サーバを提供する。【解決手段】サプライヤ端末３ａに公開案件を入札させ、サプライヤ端末が公開案件を入札した条件を含む入札情報を、入札管理情報記憶装置１２に登録する公開案件入札手段と、サプライヤ端末３ａが公開案件を閲覧した履歴情報と、サプライヤ端末が公開案件を入札した履歴情報と、を履歴管理情報記憶装置１３に登録する履歴登録手段２７と、履歴管理情報記憶装置１３を参照して、バイヤ端末２ａに、サプライヤ端末３ａの公開案件の閲覧状況を提示する公開案件閲覧状況参照手段２２と、公開案件閲覧状況参照手段２２で提示された公開案件の閲覧状況を参照して、商品を入札できる期間を変更し、公開案件管理情報記憶装置１４を更新する公開期間変更手段２３とを備える。【選択図】　　　図１
2004110688.tif 000002
【特許請求の範囲】
【請求項１】
購入を希望する商品を、前記商品を入札できる期間を定めて提示するバイヤ端末と、前記商品に入札するサプライヤ端末とを備える商取引仲介システムに用いられ、前記バイヤ端末と前記サプライヤ端末とに接続され、前記商品の入札を仲介する商取引仲介サーバにおいて、
前記バイヤ端末から受信した前記購入を希望する商品の情報を含む公開案件を、公開案件管理情報記憶装置に登録する公開案件登録手段と、
前記サプライヤ端末に前記公開案件管理情報記憶装置に登録された前記公開案件を閲覧させる公開案件閲覧手段と、
前記サプライヤ端末に前記公開案件を入札させ、前記サプライヤ端末が前記公開案件を入札した条件を含む入札情報を入札管理情報記憶装置に登録する公開案件入札手段と、
前記公開案件閲覧手段において前記サプライヤ端末が前記公開案件を閲覧した履歴情報と、前記公開案件入札手段において前記サプライヤ端末が前記公開案件を入札した履歴情報とを履歴管理情報記憶装置に登録する履歴登録手段と、
前記履歴管理情報記憶装置を参照して、前記バイヤ端末に前記サプライヤ端末の前記公開案件の閲覧状況を提示する公開案件閲覧状況参照手段と、
前記公開案件閲覧状況参照手段で提示された前記公開案件の閲覧状況を参照して、前記商品を入札できる期間を変更し、前記公開案件管理情報記憶装置を更新する公開期間変更手段と
を備えることを特徴とする商取引仲介サーバ。
【請求項２】
前記公開案件管理情報記憶装置を参照して、前記バイヤ端末が前記購入を希望する商品と同一の商品の過去の前記公開案件を検索し、前記履歴管理情報記憶装置を参照して、検索された前記過去の公開案件の前記サプライヤ端末による前記閲覧した履歴情報及び前記入札した履歴情報を取得し、前記過去の公開案件の実績を提示する実績情報提示手段を更に備え、
前記公開案件登録手段において、前記商品を入札できる期間を登録するとき、前記実績情報提示手段で提示された前記過去の公開案件の実績を提示する
ことを特徴とする請求項１に記載の商取引提供サーバ。
【請求項３】
前記公開案件管理情報記憶装置を参照して、前記バイヤ端末が前記購入を希望する商品と同一の商品の過去の前記公開案件を検索し、前記履歴管理情報記憶装置を参照して、検索された前記過去の公開案件の前記サプライヤ端末による前記閲覧した履歴情報及び前記入札した履歴情報を取得し、前記過去の公開案件の実績を提示する実績情報提示手段を更に備え、
前記公開期間変更手段において、前記商品を入札できる期間を登録するとき、前記実績情報提示手段で提示された前記過去の公開案件の実績を提示し、前記公開案件閲覧状況参照手段で提示された前記サプライヤ端末の前記公開案件の閲覧状況とを比較して、前記商品を入札できる期間を決定させる
ことを特徴とする請求項１に記載の商取引仲介サーバ。
【請求項４】
前記公開案件管理情報記憶装置を参照して、前記バイヤ端末が前記購入を希望する商品と同一の商品の過去の前記公開案件を検索し、前記履歴管理情報記憶装置を参照して、検索された前記過去の公開案件の前記サプライヤ端末による前記閲覧した履歴情報及び前記入札した履歴情報を取得し、前記過去の公開案件の実績を提示する実績情報提示手段を更に備え、
前記公開案件登録手段において、前記商品を入札できる期間を登録するとき、前記実績情報提示手段で提示された前記過去の公開案件の実績を提示し、
更に、前記公開期間変更手段において、前記商品を入札できる期間を登録するとき、前記実績情報提示手段で提示された前記過去の公開案件の実績を提示し、前記公開案件閲覧状況参照手段で提示された前記サプライヤ端末の前記公開案件の閲覧状況とを比較して、前記商品を入札できる期間を決定させる
ことを特徴とする請求項１に記載の商取引仲介サーバ。
【請求項５】
前記公開案件管理情報記憶装置は、前記購入を希望する商品と、前記商品が属する商品分類が登録されており、
前記実績情報提示手段において検索する前記過去の公開案件は、前記商品分類が同一である商品の前記過去の公開案件である
ことを特徴とする請求項２乃至４のいずれか１項に記載の商取引仲介サーバ。
【請求項６】
前記実績情報提示手段が提示する前記過去の公開案件の実績は、前記過去の公開案件が公開されてから、最低価格が入札された日までの、最低価格入札日数の、最小値と、最大値と、平均値と、平均分布とのいずれか一つ以上を含む情報である
ことを特徴とする請求項２乃至５のいずれか１項に記載の商取引仲介サーバ。
【請求項７】
前記公開案件閲覧状況参照手段で提示された前記公開案件の閲覧状況と、前記公開案件入札手段において前記サプライヤ端末が前記公開案件を入札した履歴情報とを参照して、商品ごとに或いは前記商品が属する商品分類ごとに、公開期間の初期値を設定させ、公開期間管理情報記憶装置に登録する公開期間初期設定手段
を更に備えることを特徴とする請求項１乃至６のいずれか１項に記載の商取引仲介サーバ。
【請求項８】
購入を希望する商品を、前記商品を入札できる期間を定めて提示するバイヤ端末と、前記商品に入札するサプライヤ端末とを備える商取引仲介システムに用いられ、前記商品の入札を仲介する商取引仲介方法において、
前記バイヤ端末から受信した前記購入を希望する商品の情報を含む公開案件を、公開案件管理情報記憶装置に登録する公開案件登録ステップと、
前記サプライヤ端末に、前記公開案件管理情報記憶装置に登録された前記公開案件を閲覧させる公開案件閲覧ステップと、
前記サプライヤ端末に前記公開案件を入札させ、前記サプライヤ端末が前記公開案件を入札した条件を含む入札情報を、入札管理情報記憶装置に登録する公開案件入札ステップと、
前記公開案件閲覧ステップにおいて前記サプライヤ端末が前記公開案件を閲覧した履歴情報と、前記公開案件入札ステップにおいて前記サプライヤ端末が前記公開案件を入札した履歴情報と、を履歴管理情報記憶装置に登録する履歴登録ステップと、
前記履歴管理情報記憶装置を参照して、前記バイヤ端末に、前記サプライヤ端末の前記公開案件の閲覧状況を提示する公開案件閲覧状況参照ステップと、
前記公開案件閲覧状況参照ステップで提示された前記公開案件の閲覧状況を参照して、前記商品を入札できる期間を変更し、前記公開案件管理情報記憶装置を更新する公開期間変更ステップと
を備えることを特徴とする商取引仲介方法。
【請求項９】
前記公開案件管理情報記憶装置を参照して、前記バイヤ端末が前記購入を希望する商品と同一の商品の、過去の前記公開案件を検索し、前記履歴管理情報記憶装置を参照して、検索された前記過去の公開案件の、前記サプライヤ端末による前記閲覧した履歴情報及び前記入札した履歴情報を取得し、前記過去の公開案件の実績を提示する実績情報提示ステップを更に備え、
前記公開案件登録ステップにおいて、前記商品を入札できる期間を登録するとき、前記実績情報提示ステップで提示された前記過去の公開案件の実績を提示し、
更に、前記公開期間変更ステップにおいて、前記商品を入札できる期間を登録するとき、前記実績情報提示ステップで提示された前記過去の公開案件の実績を提示し、前記公開案件閲覧状況参照ステップで提示された前記サプライヤ端末の前記公開案件の閲覧状況とを比較して、前記商品を入札できる期間を決定させる
ことを特徴とする請求項８に記載の商取引仲介方法。
【請求項１０】
前記公開案件管理情報記憶装置は、前記購入を希望する商品と、前記商品が属する商品分類が登録されており、
前記実績情報提示ステップにおいて検索する前記過去の公開案件は、前記商品分類が同一の商品の前記過去の公開案件である
ことを特徴とする請求項９に記載の商取引仲介方法。
【請求項１１】
前記実績情報提示ステップが提示する前記過去の公開案件の実績は、前記過去の公開案件が公開されてから、最低価格が入札された日までの、最低価格入札日数の、最小値と、最大値と、平均値と、平均分布と、のいずれか一つ以上を含む情報である
ことを特徴とする請求項９又は１０に記載の商取引仲介方法。
【請求項１２】
前記公開案件閲覧状況参照ステップで提示された前記公開案件の閲覧状況と、前記公開案件入札ステップにおいて前記サプライヤ端末が前記公開案件を入札した履歴情報と、を参照して、商品ごとに或いは前記商品が属する商品分類ごとに、公開期間の初期値を設定させ、公開期間管理情報記憶装置に登録する公開期間初期設定ステップ
を更に備えることを特徴とする請求項９乃至１１のいずれか１項に記載の商取引仲介方法。
【請求項１３】
購入を希望する商品を、前記商品を入札できる期間を定めて提示するバイヤ端末と、前記商品に入札するサプライヤ端末とを備える商取引仲介システムに用いられ、前記商品の入札を仲介する商取引仲介プログラムにおいて、
前記バイヤ端末から受信した、前記購入を希望する商品の情報を含む公開案件を、公開案件管理情報記憶装置に登録する公開案件登録ステップと、
前記サプライヤ端末に、前記公開案件管理情報記憶装置に登録された前記公開案件を閲覧させる公開案件閲覧ステップと、
前記サプライヤ端末に前記公開案件を入札させ、前記サプライヤ端末が前記公開案件を入札した条件を含む入札情報を、入札管理情報記憶装置に登録する公開案件入札ステップと、
前記公開案件閲覧ステップにおいて前記サプライヤ端末が前記公開案件を閲覧した履歴情報と、前記公開案件入札ステップにおいて前記サプライヤ端末が前記公開案件を入札した履歴情報と、を履歴管理情報記憶装置に登録する履歴登録ステップと、
前記履歴管理情報記憶装置を参照して、前記バイヤ端末に、前記サプライヤ端末の前記公開案件の閲覧状況を提示する公開案件閲覧状況参照ステップと、
前記公開案件閲覧状況参照ステップで提示された前記公開案件の閲覧状況を参照して、前記商品を入札できる期間を変更し、前記公開案件管理情報記憶装置を更新する公開期間変更ステップと
を備えることを特徴とする商取引仲介プログラム。
【請求項１４】
前記公開案件管理情報記憶装置を参照して、前記バイヤ端末が前記購入を希望する商品と同一の商品の、過去の前記公開案件を検索し、前記履歴管理情報記憶装置を参照して、検索された前記過去の公開案件の、前記サプライヤ端末による前記閲覧した履歴情報及び前記入札した履歴情報を取得し、前記過去の公開案件の実績を提示する実績情報提示ステップを更に備え、
前記公開案件登録ステップにおいて、前記商品を入札できる期間を登録するとき、前記実績情報提示ステップで提示された前記過去の公開案件の実績を提示し、
更に、前記公開期間変更ステップにおいて、前記商品を入札できる期間を登録するとき、前記実績情報提示ステップで提示された前記過去の公開案件の実績を提示し、前記公開案件閲覧状況参照ステップで提示された前記サプライヤ端末の前記公開案件の閲覧状況とを比較して、前記商品を入札できる期間を決定させる
ことを特徴とする請求項１３に記載の商取引仲介プログラム。
【請求項１５】
前記公開案件管理情報記憶装置は、前記購入を希望する商品と、前記商品が属する商品分類が登録されており、
前記実績情報提示ステップにおいて検索する前記過去の公開案件は、前記商品分類が同一の商品の前記過去の公開案件である
ことを特徴とする請求項１４に記載の商取引仲介プログラム。
【請求項１６】
前記実績情報提示ステップが提示する前記過去の公開案件の実績は、前記過去の公開案件が公開されてから、最低価格が入札された日までの、最低価格入札日数の、最小値と、最大値と、平均値と、平均分布と、のいずれか一つ以上を含む情報である
ことを特徴とする請求項１４又は１５に記載の商取引仲介プログラム。
【請求項１７】
前記公開案件閲覧状況参照ステップで提示された前記公開案件の閲覧状況と、前記公開案件入札ステップにおいて前記サプライヤ端末が前記公開案件を入札した履歴情報と、を参照して、商品ごとに或いは前記商品が属する商品分類ごとに、公開期間の初期値を設定させ、公開期間管理情報記憶装置に登録する公開期間初期設定ステップ
を更に備えることを特徴とする請求項１４乃至１６のいずれか１項に記載の商取引仲介プログラム。
【発明の詳細な説明】
【０００１】
【発明の属する技術分野】
本発明は、購入を希望する商品を、商品を入札できる期間を定めて提示するバイヤ端末と、商品に入札するサプライヤ端末とに接続され、バイヤ端末とサプライヤ端末を仲介する商取引仲介サーバ、商取引仲介方法及び商取引プログラムに関する。
【０００２】
【従来の技術】
近年、資材調達業務を取り扱うＡＳＰ（Ａｐｐｌｉｃａｔｉｏｎ　Ｓｅｒｖｉｃｅ　Ｐｒｏｖｉｄｅｒ）サービスが増加している。その中に、バイヤ企業（発注企業）がサプライヤ企業（受注企業）を限定せずに、見積依頼を開示し、広く一般サプライヤから入札を募る公開入札と呼ばれる方法がある。公開入札に関しては、見積以来方法や入札方法、及び入札結果に、基づく落札サプライヤ企業選定方法、落札方法、落札通知方法など、バイヤ企業とサプライヤ企業間の情報交換におけるものが数多く出願され、特許として登録されているものもある。
【０００３】
バイヤ企業は、なるべく安いサプライヤ企業から資材の調達を希望する一方、その資材の調達期限との関係で、なるべく早く資材を調達したいと希望する。
【０００４】
この問題を解決するために、期間制限なく常時公開する方法がある（例えば、特許文献１参照）。又、入札行為に基づきリセットされる早期入札終了期間を設定し、早期入札終了期間の計測の終了に基づき入札期間を早期終了する方法もある（例えば特許文献２参照）。
【０００５】
【特許文献１】
特開２００２−２４６２４号公報
【特許文献２】
特開２００２−７７８３号公報
【０００６】
【発明が解決しようとする課題】
しかし、この公開入札において、案件の公開期間（入札期限）を設定するのが困難であるという問題がある。
【０００７】
具体的には、この公開入札において、入札案件の品目もしくは分類によって、サプライヤの担当者が公開案件の見積に要する時間が異なる。又、サプライヤのＡＳＰサービスへのアクセス頻度や初回閲覧のタイミングが異なる。従って、バイヤの担当者が、入札案件の公開期間、つまり、案件を公開してからサプライヤが閲覧して入札するまでの期間を何日程度にすれば適切かであるかは、個々のバイヤの経験等で決定されていた。従って、特に公開入札を行った経験の少ないバイヤ企業は、期間を短く設定してしまい、よりよい条件の入札を逃したり、長く設定しすぎて余分に時間をかけすぎたりするという問題がある。
【０００８】
又、生産計画の変更などで入札終了予定に余裕が生じた場合、期間を延長した方が良いか、又、期間延長する場合にどの程度の期間に変更したら良いか判断が難しいという問題がある。
【０００９】
上述した特許文献１においては、期間制限なく常時公開するので、バイヤ企業の納入希望日に合わせて資材を調達するのが困難である。又、特許文献２においては、入札状況に応じて公開期間が変動するので、バイヤ企業、サプライヤ企業ともに入札、応札のスケジュールを行うのが困難である。
【００１０】
従って、本発明の目的は、購入を希望する商品を、商品を入札できる期間を定めて提示するバイヤ端末と、商品に入札するサプライヤ端末とを仲介する場合、商品を入札できる効果的な期間を定めることのできる商取引仲介サーバ、商取引仲介方法及び商取引仲介プログラムを提供することである。
【００１１】
【課題を解決するための手段】
上記課題を解決するために、本発明の第１の特徴に係る商取引仲介サーバは、購入を希望する商品を、商品を入札できる期間を定めて提示するバイヤ端末と、商品に入札するサプライヤ端末とを備える商取引仲介システムに用いられ、バイヤ端末とサプライヤ端末とに接続され、商品の入札を仲介する商取引仲介サーバに関する。即ち、本発明の第１の特徴に係る商取引仲介サーバは、バイヤ端末から受信した購入を希望する商品の情報を含む公開案件を、公開案件管理情報記憶装置に登録する公開案件登録手段と、サプライヤ端末に公開案件管理情報記憶装置に登録された公開案件を閲覧させる公開案件閲覧手段と、サプライヤ端末に公開案件を入札させ、サプライヤ端末が公開案件を入札した条件を含む入札情報を入札管理情報記憶装置に登録する公開案件入札手段と、公開案件閲覧手段においてサプライヤ端末が公開案件を閲覧した履歴情報と公開案件入札手段においてサプライヤ端末が公開案件を入札した履歴情報と、を履歴管理情報記憶装置に登録する履歴登録手段と、履歴管理情報記憶装置を参照して、バイヤ端末にサプライヤ端末の公開案件の閲覧状況を提示する公開案件閲覧状況参照手段と、公開案件閲覧状況参照手段で提示された公開案件の閲覧状況を参照して、商品を入札できる期間を変更し、公開案件管理情報記憶装置を更新する公開期間変更手段とを備える。
【００１２】
ここで、「商品」とは、企業が扱う文具、機器などの資材でも良いし、仕様を公開して作成させるアプリケーション或いはサービスでも良い。
【００１３】
本発明の第１の特徴に係る商取引仲介サーバによれば、サプライヤ端末からの閲覧情報、入札情報を参照することにより、状況に応じて商品を入札できる期間を設定することができる。
【００１４】
又、公開案件管理情報記憶装置を参照して、バイヤ端末が購入を希望する商品と同一の商品の過去の公開案件を検索し、履歴管理情報記憶装置を参照して、検索された過去の公開案件のサプライヤ端末による閲覧した履歴情報及び入札した履歴情報を取得し、過去の公開案件の実績を提示する実績情報提示手段を更に備え、公開案件登録手段において、商品を入札できる期間を登録するとき、実績情報提示手段で提示された過去の公開案件の実績を提示するのが好ましい。
【００１５】
又、公開案件管理情報記憶装置を参照して、バイヤ端末が購入を希望する商品と同一の商品の過去の公開案件を検索し、履歴管理情報記憶装置を参照して、検索された過去の公開案件のサプライヤ端末による閲覧した履歴情報及び入札した履歴情報を取得し、過去の公開案件の実績を提示する実績情報提示手段を更に備え、公開期間変更手段において、商品を入札できる期間を登録するとき、実績情報提示手段で提示された過去の公開案件の実績を提示し、公開案件閲覧状況参照手段で提示されたサプライヤ端末の公開案件の閲覧状況とを比較して、商品を入札できる期間を決定させるのが好ましい。
【００１６】
又、公開案件管理情報記憶装置を参照して、バイヤ端末が購入を希望する商品と同一の商品の過去の公開案件を検索し、履歴管理情報記憶装置を参照して、検索された過去の公開案件のサプライヤ端末による閲覧した履歴情報及び入札した履歴情報を取得し、過去の公開案件の実績を提示する実績情報提示手段を更に備え、公開案件登録手段において、商品を入札できる期間を登録するとき、実績情報提示手段で提示された過去の公開案件の実績を提示し、更に、公開期間変更手段において、商品を入札できる期間を登録するとき、実績情報提示手段で提示された過去の公開案件の実績を提示し、公開案件閲覧状況参照手段で提示されたサプライヤ端末の公開案件の閲覧状況とを比較して、商品を入札できる期間を決定させるのが好ましい。
【００１７】
これにより、過去の実績を参照できるので、より適切な公開期間の設定や、更新を行うことができる。
【００１８】
又、公開案件管理情報記憶装置は、購入を希望する商品と、商品が属する商品分類が登録されており、実績情報提示手段において検索する過去の公開案件は、商品分類が同一である商品の過去の公開案件であるのが好ましい。
【００１９】
これにより、同一商品分類の商品について提示することにより、ボールペンやシャープペンシルなど、商品名は異なっても実質的には同一の商品として捉える範囲の商品についてまで集計することができる。従って、集計のサンプル数を増やすことができ、より的確な数値を算出することができる。
【００２０】
又、実績情報提示手段が提示する過去の公開案件の実績は、過去の公開案件が公開されてから、最低価格が入札された日までの、最低価格入札日数の、最小値と、最大値と、平均値と、平均分布とのいずれか一つ以上を含む情報であるのが好ましい。
【００２１】
これにより、最低価格入札日数の平均値を、商品を入札できる適切な期間として設定することができる。
【００２２】
又、公開案件閲覧状況参照手段で提示された公開案件の閲覧状況と、公開案件入札手段においてサプライヤ端末が公開案件を入札した履歴情報とを参照して、商品ごとに或いは商品が属する商品分類ごとに、公開期間の初期値を設定させ、公開期間管理情報記憶装置に登録する公開期間初期設定手段を更に備えるのが好ましい。
【００２３】
これにより、公開期間の初期設定値を登録することにより、同様の公開案件が発生した場合、適切な初期設定値を設定することができる。
【００２４】
本発明の第２の特徴に係る商取引仲介方法は、購入を希望する商品を、商品を入札できる期間を定めて提示するバイヤ端末と、商品に入札するサプライヤ端末とを備える商取引仲介システムに用いられ、商品の入札を仲介する商取引仲介方法に関する。即ち、本発明の第２の特徴に係る商取引仲介方法は、バイヤ端末から受信した購入を希望する商品の情報を含む公開案件を、公開案件管理情報記憶装置に登録する公開案件登録ステップと、サプライヤ端末に、公開案件管理情報記憶装置に登録された公開案件を閲覧させる公開案件閲覧ステップと、サプライヤ端末に公開案件を入札させ、サプライヤ端末が公開案件を入札した条件を含む入札情報を、入札管理情報記憶装置に登録する公開案件入札ステップと、公開案件閲覧ステップにおいてサプライヤ端末が公開案件を閲覧した履歴情報と、公開案件入札ステップにおいてサプライヤ端末が公開案件を入札した履歴情報と、を履歴管理情報記憶装置に登録する履歴登録ステップと、履歴管理情報記憶装置を参照して、バイヤ端末に、サプライヤ端末の公開案件の閲覧状況を提示する公開案件閲覧状況参照ステップと、公開案件閲覧状況参照ステップで提示された公開案件の閲覧状況を参照して、商品を入札できる期間を変更し、公開案件管理情報記憶装置を更新する公開期間変更ステップとを備える。
【００２５】
又、公開案件管理情報記憶装置を参照して、バイヤ端末が購入を希望する商品と同一の商品の、過去の公開案件を検索し、履歴管理情報記憶装置を参照して、検索された過去の公開案件の、サプライヤ端末による閲覧した履歴情報及び入札した履歴情報を取得し、過去の公開案件の実績を提示する実績情報提示ステップを更に備え、公開案件登録ステップにおいて、商品を入札できる期間を登録するとき、実績情報提示ステップで提示された過去の公開案件の実績を提示し、更に、公開期間変更ステップにおいて、商品を入札できる期間を登録するとき、実績情報提示ステップで提示された過去の公開案件の実績を提示し、公開案件閲覧状況参照ステップで提示されたサプライヤ端末の公開案件の閲覧状況とを比較して、商品を入札できる期間を決定させるのが好ましい。
【００２６】
又、公開案件管理情報記憶装置は、購入を希望する商品と、商品が属する商品分類が登録されており、実績情報提示ステップにおいて検索する過去の公開案件は、商品分類が同一の商品の過去の公開案件であるのが好ましい。
【００２７】
又、実績情報提示ステップが提示する過去の公開案件の実績は、過去の公開案件が公開されてから、最低価格が入札された日までの、最低価格入札日数の、最小値と、最大値と、平均値と、平均分布と、のいずれか一つ以上を含む情報であるのが好ましい。
【００２８】
又、公開案件閲覧状況参照ステップで提示された公開案件の閲覧状況と、公開案件入札ステップにおいてサプライヤ端末が公開案件を入札した履歴情報と、を参照して、商品ごとに或いは商品が属する商品分類ごとに、公開期間の初期値を設定させ、公開期間管理情報記憶装置に登録する公開期間初期設定ステップを更に備えるのが好ましい。
【００２９】
本発明の第３の特徴に係る商取引仲介プログラムは、購入を希望する商品を、商品を入札できる期間を定めて提示するバイヤ端末と、商品に入札するサプライヤ端末とを備える商取引仲介システムに用いられ、商品の入札を仲介する商取引仲介プログラムに関する。即ち、本発明の第３の特徴に係る商取引仲介プログラムは、バイヤ端末から受信した、購入を希望する商品の情報を含む公開案件を、公開案件管理情報記憶装置に登録する公開案件登録ステップと、サプライヤ端末に、公開案件管理情報記憶装置に登録された公開案件を閲覧させる公開案件閲覧ステップと、サプライヤ端末に公開案件を入札させ、サプライヤ端末が公開案件を入札した条件を含む入札情報を、入札管理情報記憶装置に登録する公開案件入札ステップと、公開案件閲覧ステップにおいてサプライヤ端末が公開案件を閲覧した履歴情報と、公開案件入札ステップにおいてサプライヤ端末が公開案件を入札した履歴情報と、を履歴管理情報記憶装置に登録する履歴登録ステップと、履歴管理情報記憶装置を参照して、バイヤ端末に、サプライヤ端末の公開案件の閲覧状況を提示する公開案件閲覧状況参照ステップと、公開案件閲覧状況参照ステップで提示された公開案件の閲覧状況を参照して、商品を入札できる期間を変更し、公開案件管理情報記憶装置を更新する公開期間変更ステップとを備える。
【００３０】
又、公開案件管理情報記憶装置を参照して、バイヤ端末が購入を希望する商品と同一の商品の、過去の公開案件を検索し、履歴管理情報記憶装置を参照して、検索された過去の公開案件の、サプライヤ端末による閲覧した履歴情報及び入札した履歴情報を取得し、過去の公開案件の実績を提示する実績情報提示ステップを更に備え、公開案件登録ステップにおいて、商品を入札できる期間を登録するとき、実績情報提示ステップで提示された過去の公開案件の実績を提示し、更に、公開期間変更ステップにおいて、商品を入札できる期間を登録するとき、実績情報提示ステップで提示された過去の公開案件の実績を提示し、公開案件閲覧状況参照ステップで提示されたサプライヤ端末の公開案件の閲覧状況とを比較して、商品を入札できる期間を決定させるのが好ましい。
【００３１】
又、公開案件管理情報記憶装置は、購入を希望する商品と、商品が属する商品分類が登録されており、実績情報提示ステップにおいて検索する過去の公開案件は、商品分類が同一の商品の過去の公開案件であるのが好ましい。
【００３２】
又、実績情報提示ステップが提示する過去の公開案件の実績は、過去の公開案件が公開されてから、最低価格が入札された日までの、最低価格入札日数の、最小値と、最大値と、平均値と、平均分布と、のいずれか一つ以上を含む情報であるのが好ましい。
【００３３】
又、公開案件閲覧状況参照ステップで提示された公開案件の閲覧状況と、公開案件入札ステップにおいてサプライヤ端末が公開案件を入札した履歴情報と、を参照して、商品ごとに或いは商品が属する商品分類ごとに、公開期間の初期値を設定させ、公開期間管理情報記憶装置に登録する公開期間初期設定ステップを更に備えるのが好ましい。
【００３４】
【発明の実施の形態】
次に、図面を参照して、本発明の実施の形態を説明する。以下の図面の記載において、同一又は類似の部分には同一又は類似の符号を付している。
【００３５】
（第１の実施の形態）
図１に示すように、本発明の第１の実施の形態に係る商取引仲介システム５は、商取引仲介サーバ１、バイヤ端末２ａ、２ｂ…、サプライヤ端末３ａ、３ｂ…を備えている。商取引仲介サーバ１、バイヤ端末２ａ、２ｂ…、サプライヤ端末３ａ、３ｂ…は、一般的なコンピュータで、コンピュータに所定の機能を備えたソフトウェアプログラムをインストールすることにより実現される。
【００３６】
バイヤ端末２ａ、２ｂ…は、購入を希望する商品を購入するバイヤ企業に備えられた端末であって、商品を入札できる期間を定めて、商取引仲介サーバ１に提示する。サプライヤ端末３ａ、３ｂ…は、商品の提供を希望するサプライヤ企業に備えられた端末であって、商取引仲介サーバ１に提示された商品に入札する。
【００３７】
商取引仲介サーバ１は、バイヤ端末２ａ、２ｂ…と、サプライヤ端末３ａ、３ｂ…とを仲介する。図１においては、バイヤ端末及びサプライヤ端末を２台ずつ備えているが、３台以上でもよいのは勿論である。
【００３８】
バイヤ端末２ａ、２ｂ…と商取引仲介サーバ１は、通信ネットワーク４ａを介して接続されており、互いに通信を行うことができる。又、サプライヤ端末３ａ、３ｂ…と商取引仲介サーバ１は、通信ネットワーク４ｂを介して接続されており、互いに通信を行うことができる。ここで、通信ネットワーク４ａ及び４ｂは、インターネット、パソコン通信などの通信ネットワークのことである。通信ネットワーク４ａ及び４ｂは、互いに閉じたネットワークでも良いし、お互いにシームレスに接続できるネットワークでも良い。商取引仲介サーバ１、バイヤ端末２ａ、２ｂ…、サプライヤ端末３ａ、３ｂ…は、プロバイダのアクセスポイント、ゲートウェイサーバ、ＬＡＮカード、ＬＡＮボードなどを介して、通信ネットワーク４ａ及び４ｂに接続される場合もある。
【００３９】
商取引仲介サーバ１について、図１を参照して詳細に説明する。
【００４０】
本発明の第１の実施の形態に係る商取引仲介サーバ１は、公開案件管理情報記憶装置１１、入札管理情報記憶装置１２、履歴管理情報記憶装置１３、公開期間管理情報記憶装置１４、公開案件登録手段２１、公開案件閲覧状況参照手段２２、公開期間変更手段２３、公開期間初期設定手段２４、公開案件閲覧手段２５、公開案件入札手段２６、履歴登録手段２７を備えている。
【００４１】
公開案件管理情報記憶装置１１は、バイヤ端末２ａ、２ｂ…から受信した、購入を希望する商品の情報を含む公開案件が登録された記憶装置である。公開案件管理情報記憶装置１１は、図２に示すように、公開案件ごとに採番された公開番号、公開案件を登録したバイヤ企業、商品の詳細分類、商品の品名、数量、案件の公開日、公開日から公開期間（入札期間）を経過した日である期限日、公開案件の詳細な説明である案件詳細、などの項目を備えている。
【００４２】
入札管理情報記憶装置１２は、サプライヤ端末３ａ、３ｂ…の前記公開案件を入札した条件を含む入札情報が登録された記憶装置である。入札管理情報記憶装置１２は、図３に示すように、公開案件管理情報記憶装置１１の公開番号と関連づけられた公開番号、サプライヤ端末３ａ、３ｂ…からの応札（入札）ごとに採番された応札番号、応札したサプライヤ、応札金額、応札条件等が記録されている。
【００４３】
履歴管理情報記憶装置１３は、サプライヤ端末３ａ、３ｂ…が公開案件を閲覧した履歴情報と、サプライヤ端末３ａ、３ｂ…が公開案件を入札した履歴情報が登録された記憶装置である。図４に示すように、履歴管理情報記憶装置１３は、公開案件管理情報記憶装置１１の公開番号と関連づけられた公開番号、「応札」か、「閲覧」かの種別、応札又は閲覧された日時、サプライヤ、種別が「応札」の場合、入札管理情報記憶装置１２の応札番号と関連づけられた応札番号等が記録されている。
【００４４】
公開期間管理情報記憶装置１４は、バイヤ端末２ａ、２ｂ…によって設定された、商品ごとに或いは前記商品が属する商品分類ごとの公開期間の初期値が登録された記憶装置である。図５に示すように、公開期間管理情報記憶装置１４は、品名、詳細分類、公開期間の初期値、コメント等が記録されている。公開期間初期値は、バイヤ端末２ａ、２ｂ…ごとに設定されるのが好ましい。
【００４５】
公開案件登録手段２１は、バイヤ端末２ａ、２ｂ…から受信した、購入を希望する商品の情報を含む公開案件を、公開案件管理情報記憶装置１１に登録する手段である。ここで登録する情報は、公開期間（或いは公開期限）、品名、見積詳細情報、希望納期などである。公開案件を登録する場合、公開期間管理情報記憶装置１４を参照して、既に登録されている品名又は詳細分類のレコードがあった場合、そのレコードの公開期間初期値項目のデータを予め提示するのが好ましい。
【００４６】
公開案件閲覧状況参照手段２２は、履歴管理情報記憶装置１３を参照して、バイヤ端末２ａ、２ｂ…に、サプライヤ端末３ａ、３ｂ…の公開案件の閲覧状況を提示する手段である。
【００４７】
公開期間変更手段２３は、公開案件閲覧状況参照手段２２で提示された公開案件の閲覧状況を参照して、商品を入札できる期間を変更し、公開期間管理情報記憶装置を更新する手段である。
【００４８】
公開期間初期設定手段２４は、商品ごとに、或いは前記商品が属する商品分類ごとに、公開期間の初期値を設定させ、公開期間管理情報記憶装置１４に登録する手段である。
【００４９】
公開案件閲覧手段２５は、サプライヤ端末３ａ、３ｂ…に、公開案件管理情報記憶装置１１に登録された公開案件を閲覧させる手段である。
【００５０】
公開案件入札手段２６は、前記サプライヤ端末に前記公開案件を入札させ、前記サプライヤ端末が前記公開案件を入札した条件を含む入札情報を、入札管理情報記憶装置１２に登録する手段である。
【００５１】
図６を参照して、本発明の第１の実施の形態に係る商取引仲介方法について説明する。ここでは、バイヤ端末２ａが案件を登録し、その案件をサプライヤ端末３ａが入札する場合について説明する。
【００５２】
まず、ステップＳ１０１において、バイヤ端末２ａから公開案件登録手段２１によって、公開案件管理情報記憶装置１１へ、公開案件を登録する。更に、公開期間初期設定手段２４により、公開期間管理情報記憶装置１４に公開案件を公開する期間を登録する。このとき、公開期間を設定する際の参考情報として、公開期間管理情報記憶装置１４を参照して、公開期間管理情報記憶装置１４より同一の品名や詳細分類のレコードを検索し、レコードがあった場合、公開期間初期値をバイヤ端末２ａの画面に初期値として提示するのが好ましい。レコードがなかった場合、即ち、初期導入時及び新規商品や新規分類など、公開期間初期値が設定されていない場合、空白のまま提示する。
【００５３】
次に、ステップＳ１０２において、商取引仲介サーバ１は、登録された公開案件に関する情報を公開案件管理情報記憶装置１１から取得し、サプライヤ端末３ａに向け、公開する。
【００５４】
一方、サプライヤ端末３ａは、ステップＳ１０３において、商取引仲介サーバ１へログインを行う、続いて、ステップＳ１０４において、公開案件閲覧手段２５によって、図７（ａ）に示すような公開入札案件一覧画面Ｐ１０１がサプライヤ端末３ａに提示され、サプライヤ端末３ａは、商取引仲介サーバ１が公開している公開案件を参照することができる。ここで、公開入札案件一覧画面Ｐ１０１の詳細確認ボタンＢ１０１をクリックすると、図７（ｂ）に示すような公開入札案件詳細画面Ｐ１０２が提示される。
【００５５】
このとき、商取引仲介サーバ１は、ステップＳ１０５において、履歴登録手段２７により、サプライヤが閲覧した履歴を、履歴管理情報記憶装置１３に登録する。
【００５６】
サプライヤ端末３ａは、ステップＳ１０４において公開案件を閲覧後、入札すると判断した場合、ステップＳ１０６において、入札を行うことのできるサプライヤＩＤを入力する。更に、ステップＳ１０７において、公開案件入札手段２６によって、図７（ｂ）に示された公開入札案件詳細画面Ｐ１０２が提示される。公開入札案件詳細画面Ｐ１０２の入札画面ボタンＢ１０２がクリックされると、商取引仲介サーバ１は、入札情報入札画面Ｐ１０３を、サプライヤ端末３ａに提示する。サプライヤ端末３ａは、入札情報入札画面Ｐ１０３に入札情報を入力し、入札画面ボタンＢ１０３をクリックする。これに対応して、商取引仲介サーバ１は、公開案件入札手段２６によって、入札管理情報記憶装置１２に入札情報を登録する。
【００５７】
このとき、商取引仲介サーバ１は、ステップＳ１０８において、履歴登録手段２７により、サプライヤの入札履歴を、履歴管理情報記憶装置１３に登録する。
【００５８】
一方、ステップＳ１０９において、バイヤ端末２ａは、公開案件閲覧状況参照手段２２によって履歴管理情報記憶装置１３を参照し、ステップＳ１０１において登録した公開案件の閲覧履歴及び入札履歴を参照する。ここで、商取引仲介サーバ１は、図８（ａ）乃至（ｃ）に示すような画面を表示する。ここでは、公開案件に関する登録サプライヤ、未登録サプライヤ（参照はできるが入札できないサプライヤ）の閲覧状況や、入札状況を日別等で参照することができる。
【００５９】
又、グラフ表示ボタンＢ１０４をクリックすると、図８（ｂ）及び（ｃ）の様な詳細なグラフを参照することができる。図８（ｂ）は、閲覧した登録サプライヤ、未登録サプライヤの数、入札したサプライヤの数などを日別の推移で示した入札サプライヤ数表示画面Ｐ１０５である。図８（ｃ）は、平均入札価格、最低入札価格、二番目に低い入札価格、三番目に低い入札価格などを日別の推移で示した入札価格表示画面Ｐ１０６である。
【００６０】
このとき、ステップＳ１１０において、バイヤ端末２ａのユーザによって、公開期間の延長が必要だと判断された場合、図８（ａ）に示した入札案件閲覧状況画面Ｐ１０４の公開期間変更ボタンＢ１０５をクリックすることにより、公開期間の延長の依頼を行うことができる。公開期間変更ボタンＢ１０５がクリックされると、入札期間延長入力画面Ｐ１０７が提示される。更新後の応札期限を入力し更新ボタンＢ１０６がクリックされると、商取引仲介サーバ１は、ステップＳ１１１において、バイヤ端末２ａからの依頼に応じて、公開期間変更手段２３により、公開期間管理情報記憶装置１４を更新する。
【００６１】
ステップＳ１１２において、公開期間管理情報記憶装置１４で登録された公開期間が終了すると、バイヤ端末２ａは、ステップＳ１１３において、入札結果の確認を行い、ステップＳ１１４において、公開期間の妥当性の確認を行う。公開期間が妥当であると判定された場合、このままステップＳ１０１において、次の公開案件の登録を行う。
【００６２】
ステップＳ１１４において、公開案件が妥当でないと判断された場合、ステップＳ１１５において、公開期間初期設定手段２４によって、バイヤ端末２ａに、公開期間初期設定値の見直しをさせ、公開期間管理情報記憶装置１４を更新する。
【００６３】
本発明の第１の実施の形態に係る商取引仲介システムによれば、入札案件の公開中に、サプライヤの閲覧状況や入札状況を履歴情報としてバイヤに提示するシステムを構築することにより、バイヤは公開案件に対するサプライヤの対応状況を把握することが可能となり、公開期間の延長等を判断するための情報として活用することができる。
【００６４】
（第２の実施の形態）
図９に示すように、本発明の第２の実施の形態に係る商取引仲介システム５は、図１に示した本発明の第１の実施の形態に係る商取引仲介システム５に比べて、商取引仲介サーバ１が実績情報提示手段２８を備えている点が異なる。
【００６５】
実績情報提示手段２８は、公開案件管理情報記憶装置１１を参照して、バイヤ端末２ａ、２ｂ…が購入を希望する商品と同一の商品の、過去の前記公開案件を検索し、履歴管理情報記憶装置１３を参照して、検索された前記過去の公開案件の、サプライヤ端末３ａ、３ｂ…による閲覧した履歴情報及び入札した履歴情報を取得し、過去の公開案件の実績を提示する手段である。ここで提示した情報を用いて、公開案件登録手段２１で公開期間を設定しても良いし、公開期間初期設定手段２４において、公開期間初期値を設定しても良い。
【００６６】
ここでは、図１０（ａ）に示すように、品目（商品）、分類ごとの公開期間初期設定値を、最低価格が入札されるのに要した日数である最低価格応札日数の平均値を提示している。更に、最低価格応札日数の最大値、最小値も提示するのが好ましい。又、最初に閲覧されるのに要した日数の初回閲覧日数、最終の応札がなされるのに要した日数の応札日数などについても、平均値、最大値、最小値を提示しても良い。ここで算出された最低価格応札日数の平均値を、公開案件登録時にデフォルト値として設定しておくのが好ましい。
【００６７】
公開期間初期設定手段２４において公開期間予測画面Ｐ１０７を提示した場合、の初期設定値更新ボタンＢ１０７をクリックすると、図１０（ｂ）に示すような、初期設定期間更新画面Ｐ１０９が提示され、更新ボタンＢ１０８をクリックすると、公開期間初期設定手段２４によって、公開期間管理情報記憶装置１４の公開期間初期値を更新することができる。
【００６８】
実績情報提示手段２８が提示する実績は、商品ごとに提示されても良いし、商品が属する分類ごとに提示されても良い。
【００６９】
本発明の第２の実施の形態に係る商取引仲介システムによれば、サプライヤの閲覧状況や、最低入札価格の入札日等を過去の履歴情報と合わせて提示するとともに、品目や分類ごとの最低価格入札日の平均値を算出して初期値として表示するシステムを構築することにより、経験の少ないバイヤにおいても効果的な公開期間を設定することが可能となる。
【００７０】
（その他の実施の形態）
上記のように、本発明の第１の実施の形態によって記載したが、この開示の一部をなす論述及び図面はこの発明を限定するものであると理解すべきではない。この開示から当業者には様々な代替実施の形態、実施例及び運用技術が明らかとなろう。
【００７１】
本発明は、商取引仲介システムについて記載したが、一般ユーザに向けたオークションシステムにも適用することができる。
【００７２】
この様な、本発明はここでは記載していない様々な実施の形態等を含むことは勿論である。従って、本発明の技術的範囲は上記の説明から妥当な特許請求の範囲に係る発明特定事項によってのみ定められるものである。
【００７３】
【発明の効果】
本発明によれば、購入を希望する商品を、商品を入札できる期間を定めて提示するバイヤ端末と、商品に入札するサプライヤ端末と、を仲介する場合、商品を入札できる効果的な期間を定めることのできる商取引仲介サーバ、商取引仲介方法及び商取引仲介プログラムを提供することができる。
【図面の簡単な説明】
【図１】本発明の第１の実施の形態に係る商取引仲介システムのシステム構成図である。
【図２】本発明の第１の実施の形態に係る公開案件管理情報記憶装置のデータ構造とデータの一例である。
【図３】本発明の第１の実施の形態に係る入札管理情報記憶装置のデータ構造とデータの一例である。
【図４】本発明の第１の実施の形態に係る履歴管理情報記憶装置のデータ構造とデータの一例である。
【図５】本発明の第１の実施の形態に係る公開期間管理情報記憶装置のデータ構造とデータの一例である。
【図６】本発明の第１の実施の形態に係る商取引仲介方法の処理を示したフローチャートである。
【図７】本発明の第１の実施の形態において、商取引仲介サーバがサプライヤ端末に提示する画面の一例である。
【図８】本発明の第１の実施の形態において、入札状況を閲覧する場合に商取引仲介サーバがバイヤ端末に提示する画面の一例である。
【図９】本発明の第２の実施の形態に係る商取引仲介システムのシステム構成図である。
【図１０】本発明の第２の実施の形態において、公開期間初期値を設定する場合に商取引仲介サーバがバイヤ端末に提示する画面の一例である。
【符号の説明】
１…商取引仲介サーバ
２ａ、２ｂ…バイヤ端末
３ａ、３ｂ…サプライヤ端末
４ａ，４ｂ…通信ネットワーク
５…商取引仲介システム
１１…公開案件管理情報記憶装置
１２…入札管理情報記憶装置
１３…履歴管理情報記憶装置
１４…公開期間管理情報記憶装置
２１…公開案件登録手段
２２…公開案件閲覧状況参照手段
２３…公開期間変更手段
２４…公開期間初期設定手段
２５…公開案件閲覧手段
２６…公開案件入札手段
２７…履歴登録手段
２８…実績情報提示手段
【図１】
2004110688.tif 000003
【図２】
2004110688.tif 000004
【図３】
2004110688.tif 000005
【図４】
2004110688.tif 000006
【図５】
2004110688.tif 000007
【図６】
2004110688.tif 000008
【図７】
2004110688.tif 000009
【図８】
2004110688.tif 000010
【図９】
2004110688.tif 000011
【図１０】
2004110688.tif 000012